(57)【要約】【課題】長年に渡って埃や砂等が内側水平部上に堆積することによっても、流れ込んだ雨水が折返部を超えてあふれ出すことなく、雨水を軒先まで案内し、排水させることができ、かつ、施工時に作業者による踏み割れが発生するおそれがない水切りを提供すること。【解決手段】垂直に伸びた外側垂直部１２と、外側垂直部１２の上端から水平に伸びた外側水平部１４と、外側水平部１４の先端から下方に垂直に伸びた中間垂直部１６と、中間垂直部１６の下端から外側垂直部１２の方向に水平に伸びた中間水平部１８と、中間水平部１８の先端から下方に垂直に伸びた内側垂直部２０と、内側垂直部２０に設けられた棟から軒の方向に伸びた溝３２と、内側垂直部２０の下端から外側垂直部１２と反対方向に水平に伸びた内側水平部２２と、内側水平部２２の先端に上方に折り返された折返部２４とを有する水切り１０。【選択図】図１
2017186742.tif 000002
【特許請求の範囲】
【請求項１】
少なくとも、
垂直に伸びた内側垂直部と、
内側垂直部の下端から水平に伸びた内側水平部と、
内側水平部の先端に上方に折り返された折返部と、を有し、
ケラバ部又は壁取合い部における野地板と屋根材との間に内側水平部を差し込み、内側垂直部を屋根材の側面に対向させて配置し、折返部にて屋根材の下面を支持する水切りであって、
内側垂直部に棟から軒の方向に伸びた溝が設けられたことを特徴とするもの。
【請求項２】
垂直に伸びた外側垂直部と、
外側垂直部の上端から水平に伸びた外側水平部と、
外側水平部の先端から下方に垂直に伸びた中間垂直部と、
中間垂直部の下端から外側垂直部の方向に水平に伸びた中間水平部と、
中間水平部の先端から下方に垂直に伸びた内側垂直部と、
内側垂直部の下端から外側垂直部と反対方向に水平に伸びた内側水平部と、
内側水平部の先端に上方に折り返された折返部と、を有し、
ケラバ部における野地板と屋根材との間に内側水平部を差し込み、内側垂直部を屋根材の側面に対向させて配置し、折返部にて屋根材の下面を支持する水切りであって、
内側垂直部に棟から軒の方向に伸びた溝が設けられたことを特徴とするもの。
【請求項３】
水平に伸びた外側水平部と、
外側水平部の先端から下方に垂直に伸びた内側垂直部と、
内側垂直部の下端から外側水平部と反対方向に水平に伸びた内側水平部と、
内側水平部の先端に上方に折り返された折返部と、を有し、
ケラバ部における野地板と屋根材との間に内側水平部を差し込み、内側垂直部を屋根材の側面に対向させて配置し、折返部にて屋根材の下面を支持する水切りであって、
内側垂直部に棟から軒の方向に伸びた溝が設けられたことを特徴とするもの。
【請求項４】
垂直に伸びた外側垂直部と、
外側垂直部の下端から水平に伸びた外側水平部と、
外側水平部の先端から下方に垂直に伸びた内側垂直部と、
内側垂直部の下端から外側垂直部と反対方向に水平に伸びた内側水平部と、
内側水平部の先端に上方に折り返された折返部と、を有し、
壁取合い部における野地板と屋根材との間に内側水平部を差し込み、内側垂直部を屋根材の側面に対向させて配置し、折返部にて屋根材の下面を支持する水切りであって、
内側垂直部に棟から軒の方向に伸びた溝が設けられたことを特徴とするもの。
【請求項５】
請求項１、２、３、又は４記載の水切りであって、
前記溝の開口部が前記折返部の高さより上に設けられていることを特徴とするもの。
【請求項６】
請求項１、２、３、４、又は５記載の水切りであって、
前記溝が連続する凹凸面の凹面からなるものであることを特徴とするもの。
【請求項７】
請求項１、２、３、４、又は５記載の水切りであって、
前記溝が複数の凹凸部の連続する凹部からなるものであることを特徴とするもの。
【発明の詳細な説明】
【技術分野】
【０００１】
本発明は、薄い板状の屋根材（例えばスレートやアスファルトシングルなど）を使用した屋根のケラバ部（切妻屋根の妻側の端の部分）や壁取合い部（壁と屋根材とが接している部分）の水切りに関する。
【背景技術】
【０００２】
ケラバ部や壁取合い部の水切りは、暴風雨や豪雨などによって、ケラバ部や壁取合い部の屋根材の側面から流れ込む雨水を、野地板に染み渡らせることなく、屋根材と野地板との間で受けて、軒先まで案内し、排水させるためのものである。
【０００３】
従来の水切りとしては、正面視（軒側からの断面視）において、垂直に伸びた外側垂直部と、外側垂直部の上端から水平に伸びた外側水平部と、外側水平部の先端から下方に垂直に伸びた中間垂直部と、中間垂直部の下端から外側垂直部の方向に水平に伸びた中間水平部と、中間水平部の先端から下方に垂直に伸びた内側垂直部と、内側垂直部の下端から外側垂直部と反対方向に水平に伸びた内側水平部と、内側水平部の先端に上方に折り返された折返部とを有する水切りに、内側垂直部に接続されると共に内側水平部の下方にまで垂直に伸びた垂直支持部と、内側水平部の下に一定の間隔を置いて平行に配置されるように垂直支持部の下端から外側垂直部と反対方向に水平に伸びた水平支持部と、水平支持部の先端に上方に折り返された折返支持部とを有する水切りシートを備えたものがある（例えば、特許文献１参照）。
【０００４】
従来の水切りは、ケラバ部における防水紙を敷いた野地板と屋根材との間に内側水平部及び水切りシートを差し込み、内側垂直部を屋根材の側面に対向させて配置し、折返部にて屋根材の下面を支持して施工された。
【０００５】
さらにその他、前記の水切りシートの水平支持部上の折返支持部側にシーラント材を備えたものや、前記の水切りシートは備えないものの、内側水平部の折返部にシーラント材を備えたものがある（例えば、特許文献１参照）。
【０００６】
通常、暴風雨や豪雨などによって、屋根材の側面と内側垂直部との隙間から流れ込んだ雨水は、内側垂直部を伝わって内側水平部上に落ち、そのまま内側水平部に案内されて軒先まで流れ落ち、排水されることとなる。
【０００７】
しかし、長年に渡って屋根材の側面と内側垂直部との隙間から入り込んだ埃や砂等が内側水平部上に堆積することにより、暴風雨や豪雨などによって屋根材の側面と内側垂直部との隙間から流れ込み内側垂直部を伝わって内側水平部上に落ちた雨水が、堰き止められて溜まってしまい、やがては、雨水が軒先に向けて案内されることなく折返部を超えてあふれ出し、屋根材を固定している釘を伝わって野地板に染み渡り、野地板が腐ってしまうことがあった。
【０００８】
上記の従来の水切りでは、例え、雨水が折返部を超えてあふれ出したとしても、雨水が前記の水切りシートの水平支持部上に落ち、そのまま軒先まで案内され、排水された。
【０００９】
さらに、備えられたシーラント材の存在によって、折返部又は折返支持部と屋根材の下面との間に隙間を生じさせることがないため、雨水が折返部又は折返支持部を超えてあふれ出すことがなかった。
【００１０】
しかし、上記の従来の水切りは、屋根材の下に位置する内側水平部にシーラント材を設けたものや、内側水平部の更に下の位置に水切りシート又はシーラント材を備えた水切りシートを設けたものであるため、一般的に流通している水切りと比べ、野地板から屋根材までの高さが高いものとなり、野地板と屋根材との上下間の隙間が大きくなってしまうことから、施工時に作業者による踏み割れ（施工時に作業者が屋根材の上を歩く際に屋根材が割れてしまうこと）が発生するおそれがあった。
【先行技術文献】
【特許文献】
【００１１】
【特許文献１】特開２０１１−１６３０９４号公報
【発明の概要】
【発明が解決しようとする課題】
【００１２】
本発明は、長年に渡って屋根材の側面と内側垂直部との隙間から入り込んだ埃や砂等が内側水平部上に堆積することによっても、暴風雨や豪雨などによって屋根材の側面と内側垂直部との隙間から流れ込み内側垂直部を伝わって落ちる雨水が、内側水平部上に堰き止められて溜まってしまうことがなく、かつ、一般的に流通している水切りと比べ、野地板から屋根材までの高さが高いものとならない水切りを提供することである。
【課題を解決するための手段】
【００１３】
本発明の第１の課題解決手段は、少なくとも、垂直に伸びた内側垂直部と、内側垂直部の下端から水平に伸びた内側水平部と、内側水平部の先端に上方に折り返された折返部と、を有し、ケラバ部又は壁取合い部における野地板と屋根材との間に内側水平部を差し込み、内側垂直部を屋根材の側面に対向させて配置し、折返部にて屋根材の下面を支持する水切りであって、内側垂直部に棟から軒の方向に伸びた溝が設けられたことを特徴とするものである。
【００１４】
本発明の第２の課題解決手段は、垂直に伸びた外側垂直部と、外側垂直部の上端から水平に伸びた外側水平部と、外側水平部の先端から下方に垂直に伸びた中間垂直部と、中間垂直部の下端から外側垂直部の方向に水平に伸びた中間水平部と、中間水平部の先端から下方に垂直に伸びた内側垂直部と、内側垂直部の下端から外側垂直部と反対方向に水平に伸びた内側水平部と、内側水平部の先端に上方に折り返された折返部とを有し、ケラバ部における野地板と屋根材との間に内側水平部を差し込み、内側垂直部を屋根材の側面に対向させて配置し、折返部にて屋根材の下面を支持する水切りであって、内側垂直部に棟から軒の方向に伸びた溝が設けられたことを特徴とするものである。
【００１５】
本発明の第３の課題解決手段は、水平に伸びた外側水平部と、外側水平部の先端から下方に垂直に伸びた内側垂直部と、内側垂直部の下端から外側水平部と反対方向に水平に伸びた内側水平部と、内側水平部の先端に上方に折り返された折返部とを有し、ケラバ部における野地板と屋根材との間に内側水平部を差し込み、内側垂直部を屋根材の側面に対向させて配置し、折返部にて屋根材の下面を支持する水切りであって、内側垂直部に棟から軒の方向に伸びた溝が設けられたことを特徴とするものである。
【００１６】
本発明の第４の課題解決手段は、垂直に伸びた外側垂直部と、外側垂直部の下端から水平に伸びた外側水平部と、外側水平部の先端から下方に垂直に伸びた内側垂直部と、内側垂直部の下端から外側垂直部と反対方向に水平に伸びた内側水平部と、内側水平部の先端に上方に折り返された折返部とを有し、壁取合い部における野地板と屋根材との間に内側水平部を差し込み、内側垂直部を屋根材の側面に対向させて配置し、折返部にて屋根材の下面を支持する水切りであって、内側垂直部に棟から軒の方向に伸びた溝が設けられたことを特徴とするものである。
【００１７】
本発明の第５の課題解決手段は、第１、２、３、又は４の課題解決手段の水切りであって、前記溝の開口部が前記折返部の高さより上に設けられていることを特徴とするものである。
【００１８】
本発明の第６の課題解決手段は、第１、２、３、４、又は５の課題解決手段の水切りであって、前記溝が連続する凹凸面の凹面からなるものであることを特徴とするものである。
【００１９】
本発明の第７の課題解決手段は、第１、２、３、４、又は５の課題解決手段の水切りであって、前記溝が複数の凹凸部の連続する凹部からなるものであることを特徴とするものである。
【発明の効果】
【００２０】
本発明の第１、２、３、及び４の課題解決手段の水切りは、暴風雨や豪雨などによって屋根材の側面と内側垂直部との隙間から流れ込み内側垂直部を伝わって落ちる雨水を、内側垂直部に設けられた、棟から軒の方向に伸びた溝に流れ込ませ、そのまま軒先まで案内し、排水させることができる。
【００２１】
このため、例え、長年に渡って屋根材の側面と内側垂直部との隙間から入り込んだ埃や砂等が内側水平部上に堆積したとしても、暴風雨や豪雨などによって屋根材の側面と内側垂直部との隙間から流れ込み内側垂直部を伝わって落ちる雨水が、内側水平部上に堰き止められて溜まってしまうことがない。
【００２２】
よって、雨水が折返部を超えてあふれ出すことがないため、雨水が屋根材を固定している釘を伝わって防水紙の下の野地板に染み渡り、野地板が腐ってしまうことがない。
【００２３】
さらに、本発明の第１、２、３、及び４の課題解決手段の水切りは、屋根材の下に位置する内側水平部にシーラント材を設けたものや、内側水平部の更に下の位置に水切りシート又はシーラント材を備えた水切りシートを設けたものではないため、野地板から屋根材までの高さが一般的に流通している水切りと同等であることから、野地板と屋根材との上下間の隙間が大きくなってしまうことがない。
このため、施工時に作業者による踏み割れが発生するおそれがない。
【００２４】
本発明の第５の課題解決手段の水切りは、溝の開口部が折返部の高さより上に設けられていることから、例え、長年に渡って屋根材の側面と内側垂直部との隙間から入り込んだ埃や砂等が、内側水平部上に折返部の高さまで堆積したとしても、溝が埃や砂等で埋まってしまうことがない。
【００２５】
このため、暴風雨や豪雨などによって屋根材の側面と内側垂直部との隙間から流れ込み内側垂直部を伝わって落ちる雨水を、埃や砂等によって邪魔させることなく、溝に流れ込ませ、そのまま軒先まで案内し、排水させることができる。
【００２６】
なお、例え、溝に少量の埃や砂等が落ちたとしても、それらは堆積することなく、溝を流れる雨水によって流され、軒先で排出されることとなる。
【００２７】
本発明の第６及び７の課題解決手段の水切りは、溝が、連続する凹凸面の凹面からなるものや複数の凹凸部の連続する凹部からなるものであることから、棟から軒の方向にかけて、直線状、ジグザグ状、階段状等の様々に伸びた複数の溝を形成することができる。
【００２８】
このため、暴風雨や豪雨などによって屋根材の側面と内側垂直部との隙間から流れ込み様々な方向から内側垂直部を伝わって落ちる雨水を、確実に溝に導いて流れ込ませ、そのまま軒先まで案内し、排水させることができる。
【図面の簡単な説明】
【００２９】
【図１】本発明の実施の形態１の水切りの正面図
【図２】本発明の実施の形態１の水切りの使用状態を示す一部断面正面図
【図３】図２の部分拡大図
【図４】破風部側から視た屋根材と溝との関係を示す部分拡大説明図
【図５】本発明の実施の形態１の水切りの使用状態を示す別の断面部分拡大図
【図６】（a）本発明の実施の形態１の別の水切りの正面部分拡大図、（b）本発明の実施の形態１の別の水切りの正面部分拡大図
【図７】（a）本発明の実施の形態１の別の水切りの正面部分拡大図、（b）本発明の実施の形態１の別の水切りの正面部分拡大図
【図８】（a）本発明の実施の形態１の別の水切りの正面部分拡大図、（b）本発明の実施の形態１の別の水切りの正面部分拡大図
【図９】（a）本発明の実施の形態１の別の水切りの正面部分拡大図、（b）本発明の実施の形態１の別の水切りの正面部分拡大図
【図１０】（a）本発明の実施の形態１の別の水切りの側面部分拡大図、（b）本発明の実施の形態１の別の水切りの側面部分拡大図
【図１１】（a）本発明の実施の形態１の別の水切りの正面部分拡大図、（b）本発明の実施の形態１の別の水切りの側面部分拡大図
【図１２】（a）本発明の実施の形態１の別の水切りの正面部分拡大図、（b）本発明の実施の形態１の別の水切りの側面部分拡大図
【図１３】（a）本発明の実施の形態１の別の水切りの正面部分拡大図、（b）本発明の実施の形態１の別の水切りの正面部分拡大図
【図１４】本発明の実施の形態２の水切りの正面図
【図１５】本発明の実施の形態３の水切りの正面図
【発明を実施するための形態】
【００３０】
まず、本発明の実施の形態１のケラバ部の水切り１０を以下のとおり説明する（図１参照）。
【００３１】
水切り１０は、正面視において、垂直に伸びた外側垂直部１２と、外側垂直部１２の上端から水平に伸びた外側水平部１４と、外側水平部１４の先端から下方に垂直に伸びた中間垂直部１６と、中間垂直部１６の下端から外側垂直部１２の方向に水平に伸びた中間水平部１８と、中間水平部１８の先端から下方に垂直に伸びた内側垂直部２０と、内側垂直部２０の下端から外側垂直部１２と反対方向に水平に伸びた内側水平部２２と、内側水平部２２の先端に上方に折り返された折返部２４とを有するものである。
【００３２】
水切り１０は、ケラバ部における防水紙（図示しない）を敷いた野地板２６とスレートの屋根材２８との間に内側水平部２２を差し込み、内側垂直部２０を屋根材２８の側面に対向させて配置し、折返部２４にて屋根材２８の下面を支持し、破風部にあたる外側垂直部１２と外側水平部１４とで、のぼり木３０を覆い、棟から軒の方向にかけて、ケラバ部に施工されるものである（図２参照）。
【００３３】
なお、一般的に、内側垂直部２０と屋根材２８の側面との隙間Ｃは３ｍｍ以下に、内側水平部２２と屋根材２８の下面との隙間Ｓは２ｍｍ以下になるように施工されている。
また、水切り１０は、屋根材２８の２枚重ねの部分や３枚重ねの部分の下に差し込まれる。
【００３４】
さらに、水切り１０は、内側垂直部２０に、ケラバ部に施工した際に棟から軒の方向に伸びるように設けられた溝３２を有するものである（図１、２参照）。
溝３２は、雨水Ｒを軒先に向けて案内するためのものである。
【００３５】
このため、暴風雨や豪雨などによって、屋根材２８の側面と内側垂直部２０との隙間Ｃから流れ込み、内側垂直部２０を伝わって落ちる雨水Ｒは、溝３２に流れ込み、そのまま軒先まで案内され、排水されることとなる（図２、３参照）。
【００３６】
よって、例え、長年に渡って屋根材２８の側面と内側垂直部２０との隙間Ｃから入り込んだ埃や砂等Ｄが、内側水平部２２と屋根材２８の下面との隙間Ｓに堆積したとしても、屋根材２８の側面を伝わって落ちるわずかの雨水Ｒだけが内側水平部２２上に流れ落ちるだけで、内側垂直部２０を伝わって落ちる雨水Ｒは、内側水平部２２上に流れ落ちることがほとんどない。
【００３７】
このため、雨水Ｒが堆積した埃や砂等Ｄによって堰き止められて内側水平部２２上に溜まって折返部２４を超えてあふれ出すことがないことから、雨水Ｒが屋根材２８を固定している釘を伝わって防水紙の下の野地板２６に染み渡り、野地板２６が腐ってしまうことがない。
【００３８】
さらに、溝３２は、開口部３４が折返部２４の高さＨより上となるように設けられている（図１参照）。
【００３９】
このため、例え、長年に渡って屋根材２８の側面と内側垂直部２０との隙間Ｃから入り込んだ埃や砂等Ｄが、内側水平部２２と屋根材２８の下面との隙間Ｓを埋め尽くす程に堆積したとしても、溝３２が埃や砂等Ｄで埋まってしまうことがない。
【００４０】
このため、暴風雨や豪雨などによって屋根材２８の側面と内側垂直部２０との隙間Ｃから流れ込み内側垂直部２０を伝わって落ちる雨水Ｒは、埃や砂等Ｄによって邪魔されることなく、溝３２に流れ込み、そのまま軒先まで案内され、排水されることとなる。
【００４１】
なお、通常、埃や砂等Ｄは、内側水平部２２上の隙間Ｓにおいて、破風部側から視て、屋根材２８の３枚重ねの部分の一番下の屋根材２８の隅切り部分Ｋ（流れ込んだ雨水をその場で堰き止めないように破風部側の屋根材の上部の隅を斜めに切り落とした部分）に堆積することが多い（図４参照）。
【００４２】
なぜなら、屋根材２８の側面と内側垂直部２０との隙間Ｃから少しずつ入り込んだ埃や砂等Ｄは、隅切り部分Ｋが障害物となって、雨水Ｒに流されることなく、その場に堰き止められてしまうからである。
【００４３】
なお、例え、溝３２に少量の埃や砂等Ｄが落ちたとしても、溝３２には隅切り部分Ｋのような障害物がないことから、埃や砂等Ｄは、溝３２に堆積することなく、溝３２を流れる雨水Ｒによって流され、軒先で排出されることとなる。
【００４４】
このため、溝３２に流れ込んだ雨水Ｒは、埃や砂等Ｄによって邪魔されることなく、棟から軒の方向にかけて円滑に流されていくこととなる（図４参照）。
【００４５】
なお、溝３２は、開口部３４が折返部２４の高さＨより上となるように設けることに限定されるものではない。
【００４６】
その他、屋根材２８の２枚重ねの部分の下に、開口部３４の上部を屋根材２８の最上面より高くなるように設けた溝３２を備える水切りが差し込まれている場合には、開口部３４の上部と屋根材２８の側面との隙間Ｇから流れ込んだ雨水Ｒは、内側水平部２２上に流れ落ちることなく、直接、溝３２に流れ込み、そのまま軒先まで案内され、排水されることとなる（図５参照）。
【００４７】
さらに、溝３２は、正面視における内側垂直部２０において、外側垂直部１２側に凹んだ略逆コの字形のものであるが、これに限定されることなく、外側垂直部１２側に凹んだ形状であればどのようなものであっても良いほか、溝としての機能を有する形状であればどのようなものであっても良い。
【００４８】
例えば、略くの字形の溝３６（図６（ａ）参照）や略レの字形の溝３８（図６（ｂ）参照）のような形状であっても良い。
【００４９】
その他、内側垂直部２０の下端に下部が内側水平部２２と連続する凹みからなる溝４０（図７（ａ）参照）、内側垂直部２０の上端に上部が中間水平部１８と連続する凹みからなる溝４２（図７（ｂ）参照）、又は内側垂直部２０の下端にシーラント材４４を取り付けることによって内側垂直部２０の上端に上部が中間水平部１８と連続した凹みを形成したものからなる溝４６（図８（ａ）参照）のような形状であっても良い。
【００５０】
その他、棟から軒の方向に伸びる上下に連続する凹凸面４８の凹面５０を溝５２（図８（ｂ）参照）、又は溝５４（図９（ａ）参照）としたものでも良い。
【００５１】
その他、碁盤格子状に並べられた複数の凹凸部５６における棟から軒の方向に伸びた連続する凹部５８を溝６０（図９（ｂ）、図１０（ａ）参照）としたものや、千鳥格子状に並べられた複数の凹凸部６２における棟から軒の方向に伸びた連続する凹部６４を溝６６（図１０（ｂ）参照）としたものでも良い。
【００５２】
その他、内側垂直部２０に、縦方向より横方向に厚みのある網目６８を備えた網７０を貼り付け、正面視において、複数の網目６８を凹凸部７２とし、かつ、網目６８の縦方向を凹部７４とし、更に、棟から軒の方向に連続する凹部７４を溝７６としたものでも良い（図１１（ａ）、（ｂ）参照）。
【００５３】
その他、内側垂直部２０に、複数の凹凸部７８を備えたシート材８０を、凹凸部７８側を内側垂直部２０に対向させて貼り付け、棟から軒の方向に連続する凹部８２を溝８４としたものでも良い（図１２（ａ）、（ｂ）参照）。
【００５４】
以上の溝が、連続する凹凸面の凹面からなるものや複数の凹凸部の連続する凹部からなるものである場合には、棟から軒の方向にかけて、直線状、ジグザグ状、階段状等の様々に伸びた複数の溝を形成することができるため、暴風雨や豪雨などによって屋根材２８の側面と内側垂直部２０との隙間Ｃから流れ込み様々な方向から内側垂直部２０を伝わって落ちる雨水Ｒを、確実に溝に導くことが可能となる。
【００５５】
さらに、溝３２は、上部に底に向けて備えられた、先端が丸みを帯びているものや鋭いものなどの突起８６を設けたものとしても良い（図１３（ａ）、（ｂ）参照）。
なお、突起８６の形状は限定されるものではない。
【００５６】
溝３２の上部に突起８６を設けることにより、暴風雨や豪雨などによって屋根材２８の側面と内側垂直部２０との隙間Ｃから流れ込み内側垂直部２０を伝わって落ちる雨水Ｒを、突起８６に集めて伝わらせ、溝３２の底に落とすことができるため、雨水Ｒを溝３２に集め易くすることができる。
【００５７】
次に、本発明の実施の形態２のケラバ部の水切り８８を以下のとおり説明する（図１４参照）。
【００５８】
水切り８８は、正面視において、水平に伸びた外側水平部１４と、外側水平部１４の先端から下方に垂直に伸びた内側垂直部２０と、内側垂直部２０に設けられた棟から軒の方向に伸びた溝３２と、内側垂直部２０の下端から外側水平部１４と反対方向に水平に伸びた内側水平部２２と、内側水平部２２の先端に上方に折り返された折返部２４とを有するものである。
【００５９】
水切り８８は、ケラバ部と破風部とを同質の屋根材で施工する場合（本発明の属する業界において「同質役物の施工」と呼ばれるもの）に用いられるものであって、ケラバ部における防水紙を敷いた野地板とスレートの屋根材との間に内側水平部２２を差し込み、内側垂直部２０を屋根材の側面に対向させて配置し、折返部２４にて屋根材の下面を支持し、破風部の屋根材と受桟との間に外側水平部１４を差し込み、施工されるものである。
【００６０】
水切り８８は、実施の形態１の水切り１０において、外側垂直部１２、中間垂直部１６、及び中間水平部１８とを欠いた構成に過ぎないものである。
このため、その他の水切り１０と共通する構成については、その説明を省略する。
また、水切り８８の作用効果についても、水切り１０の作用効果と共通するため、その説明を省略する。
【００６１】
次に、本発明の実施の形態３の壁取合い部の水切り９０を以下のとおり説明する（図１５参照）。
【００６２】
水切り９０は、正面視において、垂直に伸びた外側垂直部１２と、外側垂直部１２の下端から水平に伸びた外側水平部１４と、外側水平部１４の先端から下方に垂直に伸びた内側垂直部２０と、内側垂直部２０に設けられた棟から軒の方向に伸びた溝３２と、内側垂直部２０の下端から外側垂直部１２と反対方向に水平に伸びた内側水平部２２と、内側水平部２２の先端に上方に折り返された折返部２４とを有するものである。
【００６３】
水切り９０は、壁取合い部における防水紙を敷いた野地板とスレートの屋根材との間に内側水平部２２を差し込み、内側垂直部２０を屋根材の側面に対向させて配置し、折返部２４にて屋根材の下面を支持し、受桟の上に外側水平部１４を載せ、外側垂直部１２を壁の下葺き材に沿って取り付け、壁取合い部に施工されるものである。
【００６４】
水切り９０は、実施の形態１の水切り１０において、中間垂直部１６と中間水平部１８とを欠いた構成であるほか、外側垂直部１２の伸びる方向が異なるだけに過ぎないものである。
【００６５】
このため、その他の水切り１０と共通する構成については、その説明を省略する。
また、水切り９０の作用効果についても、水切り１０の作用効果と共通するため、その説明を省略する。
【００６６】
なお、以上に説明した水切り１０、８８、及び９０は金属製のものが望ましいが、これに限定されるものではない。
【００６７】
さらに、正面視において、少なくとも、垂直に伸びた内側垂直部と、内側垂直部に設けられた棟から軒の方向に伸びた溝と、内側垂直部の下端から水平に伸びた内側水平部と、内側水平部の先端に上方に折り返された折返部とを有し、ケラバ部又は壁取合い部における野地板と屋根材との間に内側水平部を差し込み、内側垂直部を屋根材の側面に対向させて配置し、折返部にて屋根材の下面を支持する水切り（図示しない）であれば、外側垂直部、外側水平部、中間垂直部、及び中間水平部の有無や形状等に関係なく、本発明の効果を奏することができるため、課題解決手段となり得る。
【符号の説明】
【００６８】
１０  ケラバ部の水切り（実施の形態１）
１２  外側垂直部
１４  外側水平部
１６  中間垂直部
１８  中間水平部
２０  内側垂直部
２２  内側水平部
２４  折返部
２６  野地板
２８  屋根材
３０  のぼり木
３２  溝
３４  溝の開口部
３６  溝
３８  溝
４０  溝
４２  溝
４４  シーラント材
４６  溝
４８  凹凸面
５０  凹面
５２  溝
５４  溝
５６  凹凸部
５８  凹部
６０  溝
６２  凹凸部
６４  凹部
６６  溝
６８  網目
７０  網
７２  凹凸部
７４  凹部
７６  溝
７８  凹凸部
８０  シート材
８２  凹部
８４  溝
８６  突起
８８  ケラバ部の水切り（実施の形態２）
９０  壁取合い部の水切り（実施の形態３）
Ｃ  内側垂直部と屋根材の側面との隙間
Ｄ  埃や砂等
Ｇ  溝の開口部の上部と屋根材の側面との隙間
Ｈ  折返部の高さ
Ｋ  隅切り部分
Ｒ  雨水
Ｓ  内側水平部と屋根材の下面との隙間
【図１】
2017186742.tif 000003
【図２】
2017186742.tif 000004
【図３】
2017186742.tif 000005
【図４】
2017186742.tif 000006
【図５】
2017186742.tif 000007
【図６】
2017186742.tif 000008
【図７】
2017186742.tif 000009
【図８】
2017186742.tif 000010
【図９】
2017186742.tif 000011
【図１０】
2017186742.tif 000012
【図１１】
2017186742.tif 000013
【図１２】
2017186742.tif 000014
【図１３】
2017186742.tif 000015
【図１４】
2017186742.tif 000016
【図１５】
2017186742.tif 000017